(57)【特許請求の範囲】
【請求項１】
第１面に規則的に配置された複数の第１レンズと、前記第１面に対向する第２面に規則的に配置された複数の第２レンズとを有する第１レンズアレイプレートと、
第３面に規則的に配置された複数の第３レンズと、前記第３面に対向する第４面に規則的に配置された複数の第４レンズとを有する第２レンズアレイプレートと、
前記第１レンズを囲うように前記第１面上に立設された第１遮光壁と、
前記第４レンズを囲うように前記第４面上に立設された第２遮光壁と、を備え、
前記第１レンズアレイプレートと前記第２レンズアレイプレートが、対応するレンズの組が共軸のレンズ系を構成するように前記第２面と前記第３面とを対向させて積層され、第１面側のライン状光源からの光を受けて、前記第４面側の像面にライン状光源の正立等倍像を形成する正立等倍レンズアレイプレートであって、
前記第１面における前記第１レンズの有効領域以外の領域、前記第２面における前記第２レンズの有効領域以外の領域、前記第３面における前記第３レンズの有効領域以外の領域、前記第４面における前記第４レンズの有効領域以外の領域のうち、少なくとも１つの領域に粗面化処理が施されており、
さらに、前記第１遮光壁における前記第１面に面した領域、および／または、前記第２遮光壁における前記第４面に面した領域に粗面化処理が施されている
ことを特徴とする正立等倍レンズアレイプレート。
【請求項２】
前記第１レンズアレイプレートと前記第２レンズアレイプレートとの間に設けられた、前記第２レンズおよび前記第３レンズに対応する複数の開口部を有する遮光部材をさらに備え、
前記遮光部材は、前記第２面に面する領域および前記第３面に面する領域のうち、少なくとも１つの領域に粗面化処理が施されていることを特徴とする請求項１に記載の正立等倍レンズアレイプレート。
【請求項３】
前記粗面化処理は、中心線平均表面粗さＲａが０．２μｍ以上２μｍ以下の粗面化処理であることを特徴とする請求項１または２に記載の正立等倍レンズアレイプレート。
【請求項４】
被読取画像に光を照射するライン状光源と、
前記被読取画像から反射した光を集光する請求項１から３のいずれかに記載の正立等倍レンズアレイプレートと、
前記正立等倍レンズアレイプレートを透過した光を受光するラインイメージセンサと、
を備えることを特徴とする光走査ユニット。
【請求項５】
請求項４に記載の光走査ユニットと、
前記光走査ユニットによって検出された画像信号を処理する画像処理部と、
を備えることを特徴とする画像読取装置。
【発明の詳細な説明】
【技術分野】
【０００１】
本発明は、画像読取装置に用いられる正立等倍レンズアレイプレート並びに該正立等倍レンズアレイプレートを用いた光走査ユニットおよび画像読取装置に関する。
【背景技術】
【０００２】
従来、スキャナ等の画像読取装置として、正立等倍結像光学系を用いた装置が知られている。正立等倍結像光学系を用いた場合、縮小結像光学系の場合よりも装置をコンパクトにすることができる。画像読取装置の場合、正立等倍結像光学系は、ライン状光源と、正立等倍レンズアレイと、ラインイメージセンサから構成される。
【０００３】
正立等倍結像光学系における正立等倍レンズアレイとしては、正立等倍像を結像可能なロッドレンズアレイが用いられる。ロッドレンズアレイは、通常はレンズアレイの長手方向（画像読取装置の主走査方向）にロッドレンズが配列される。ロッドレンズの列数を増加することで、光量伝達率の向上、透過光量ムラの低減が図れるが、ロッドレンズアレイの場合、ロッドレンズの列数は、価格とのかねあいで１〜２列が一般的である。
【０００４】
一方、正立等倍レンズアレイとして、片面または両面に複数の微小凸レンズを規則的に配列した透明な平板状レンズアレイプレートを、個々の凸レンズの光軸が一致するように複数枚積層した正立等倍レンズアレイプレートも構成可能である。このような正立等倍レンズアレイプレートは、射出成型などの方法により形成できるため、複数列の正立等倍レンズアレイを比較的安価に製造することができる。
【０００５】
正立等倍レンズアレイプレートでは、隣接したレンズ間に光線を隔離するための壁が無いため、正立等倍レンズアレイプレートに斜めに入射した光線が、プレート内部を斜めに進んで隣接した凸レンズに入り込み、出射してノイズ（ゴーストノイズともいう）を発生するという迷光の問題がある。
【０００６】
そこで、結像に寄与しない迷光を除去するために正立等倍レンズアレイプレート上に遮光壁を形成したり、正立等倍レンズアレイプレートの間に遮光部材を設けたりしたものが知られている（例えば特許文献１参照）。
【先行技術文献】
【特許文献】
【０００７】
【特許文献１】特開２００９−０６９８０１号公報
【発明の概要】
【発明が解決しようとする課題】
【０００８】
しかしながら、正立等倍レンズアレイプレートを構成する各部材の製造誤差や各部材を組み付ける際の組み付け誤差等により、設計時には予期していなかった部位に光が回り込み、その部位で反射または屈折した光がフレアノイズとなる可能性がある。フレアノイズが生じると、像が全体的に白くなり、像のＳ／Ｎ比が劣化してしまうおそれがある。
【０００９】
本発明はこうした状況に鑑みてなされたものであり、その目的は、フレアノイズを低減することのできる正立等倍レンズアレイプレート、該正立等倍レンズアレイプレートを用いた光走査ユニットおよび画像読取装置を提供することにある。
【課題を解決するための手段】
【００１０】
上記課題を解決するために、本発明のある態様の正立等倍レンズアレイプレートは、第１面に規則的に配置された複数の第１レンズと、第１面に対向する第２面に規則的に配置された複数の第２レンズとを有する第１レンズアレイプレートと、第３面に規則的に配置された複数の第３レンズと、第３面に対向する第４面に規則的に配置された複数の第４レンズとを有する第２レンズアレイプレートと、第１レンズを囲うように第１面上に立設された第１遮光壁と、第４レンズを囲うように第４面上に立設された第２遮光壁とを備え、第１レンズアレイプレートと第２レンズアレイプレートが、対応するレンズの組が共軸のレンズ系を構成するように第２面と第３面とを対向させて積層され、第１面側のライン状光源からの光を受けて、第４面側の像面にライン状光源の正立等倍像を形成する。この正立等倍レンズアレイプレートは、第１面における第１レンズの有効領域以外の領域、第２面における第２レンズの有効領域以外の領域、第３面における第３レンズの有効領域以外の領域、第４面における第４レンズの有効領域以外の領域、第１遮光壁における第１面に面した領域、および第２遮光壁における第４面に面した領域のうち、少なくとも１つの領域に粗面化処理が施されている。また、少なくとも第１遮光壁における第１面に面した領域に粗面化処理が施されていることが特に好ましい。
【００１１】
上述の領域で反射または屈折した光が像面に入射するとフレアノイズとなるおそれがあるが、この態様によると、上述の領域のうち粗面化処理が施された領域に入射した光は散乱するため、フレアノイズを低減することができる。
【００１２】
第１レンズアレイプレートと第２レンズアレイプレートとの間に設けられた、第２レンズおよび第３レンズに対応する複数の開口部を有する遮光部材をさらに備えてもよい。遮光部材は、第２面に面する領域および第３面に面する領域のうち、少なくとも１つの領域に粗面化処理が施されていてもよい。この場合、フレアノイズをさらに低減することができる。
【００１３】
粗面化処理は、中心線平均表面粗さＲａが０．２μｍ以上２μｍ以下の粗面化処理であってもよい。このような粗面化処理を行うことにより、好適にフレアノイズを低減できる。
【００１４】
本発明の別の態様は、光走査ユニットである。この光走査ユニットは、被読取画像に光を照射するライン状光源と、被読取画像から反射した光を集光する上述の正立等倍レンズアレイプレートと、正立等倍レンズアレイプレートを透過した光を受光するラインイメージセンサとを備える。
【００１５】
この態様によると、上述の正立等倍レンズアレイプレートを用いて光走査ユニットを構成しているので、ラインイメージセンサは、フレアノイズの低減された正立等倍像を受光することができる。
【００１６】
本発明のさらに別の態様は、画像読取装置である。この装置は、上述の光走査ユニットと、光走査ユニットによって検出された画像信号を処理する画像処理部とを備える。
【００１７】
この態様によると、上述の光走査ユニットを用いて画像読取装置を構成しているので、フレアノイズが好適に除去された良質の画像データを生成できる。
【００１８】
なお、以上の構成要素の任意の組合せ、本発明の表現を方法、装置、システム、などの間で変換したものもまた、本発明の態様として有効である。
【発明の効果】
【００１９】
本発明によれば、フレアノイズを低減することのできる正立等倍レンズアレイプレート、該正立等倍レンズアレイプレートを用いた光走査ユニットおよび画像読取装置を提供することができる。
【図面の簡単な説明】
【００２０】
【図１】本発明の実施の形態に係る画像読取装置を説明するための図である。
【図２】光走査ユニットの一部の主走査方向における断面図である。
【図３】本発明の実施の形態に係る正立等倍レンズアレイプレートの動作を説明するための図である。
【発明を実施するための形態】
【００２１】
図１は、本発明の実施の形態に係る画像読取装置１００を説明するための図である。図１に示すように、画像読取装置１００は、筐体１０２と、原稿Ｇを載置する原稿台としてのガラス板１４と、筐体１０２内に収容された光走査ユニット１０と、光走査ユニット１０を走査する駆動機構（図示せず）と、光走査ユニット１０によって読み取られたデータを処理する画像処理部（図示せず）とを備える。
【００２２】
光走査ユニット１０は、ガラス板１４上に載置された原稿Ｇに光を照射するライン状光源１６と、原稿Ｇからの反射光を集光する正立等倍レンズアレイプレート１１と、正立等倍レンズアレイプレート１１により集光された光を受けるラインイメージセンサ（光電変換素子）２０と、ライン状光源１６、正立等倍レンズアレイプレート１１およびラインイメージセンサ２０を固定する筐体（図示せず）とを備える。
【００２３】
ライン状光源１６は、略直線状の光を出射する光源である。ライン状光源１６は、照射光の光軸が、正立等倍レンズアレイプレート１１の光軸Ａｘとガラス板１４の上面との交点を通るように固定される。ライン状光源１６から出射された光は、ガラス板１４上に置かれた原稿Ｇに照射される。原稿Ｇに照射された光は、原稿Ｇにより正立等倍レンズアレイプレート１１に向けて反射される。原稿Ｇの光を反射する領域は、正立等倍レンズアレイプレート１１に向けてライン状の光を照射する光源と考えることができる。
【００２４】
正立等倍レンズアレイプレート１１は、後述するように、複数の凸レンズを両面に形成した第１レンズアレイプレート２４、第２レンズアレイプレート２６が対応するレンズの組が共軸のレンズ系を構成するように積層されたものである。第１レンズアレイプレート２４、第２レンズアレイプレート２６は、ホルダ（図示せず）により積層状態で保持されている。正立等倍レンズアレイプレート１１は、その長手方向が主走査方向に、短手方向が副走査方向に一致するように画像読取装置１００に装着される。
【００２５】
正立等倍レンズアレイプレート１１は、上方に位置する原稿Ｇから反射されたライン状の光を受けて、下方に位置する像面、すなわちラインイメージセンサ２０の受光面に正立等倍像を形成する。画像読取装置１００は、光走査ユニット１０を副走査方向に走査することにより、原稿Ｇを読み取ることができる。
【００２６】
図２は、光走査ユニット１０の一部の主走査方向における断面図である。図２において、横方向が正立等倍レンズアレイプレート１１の主走査方向（長手方向）であり、奥行き方向が副走査方向（短手方向）である。
【００２７】
上述したように、正立等倍レンズアレイプレート１１は、第１レンズアレイプレート２４と第２レンズアレイプレート２６とが積層されて構成されている。第１レンズアレイプレート２４および第２レンズアレイプレート２６は、長方形状のプレートであり、その両面には複数の凸レンズが配列形成されている。
【００２８】
第１レンズアレイプレート２４および第２レンズアレイプレート２６は、射出成形により形成される。第１レンズアレイプレート２４および第２レンズアレイプレート２６の材質は、射出成形に使用可能で、必要な波長帯域の光に対して光透過性が高く、吸水性の低いものが望ましい。望ましい材質としては、シクロオレフィン系樹脂や、オレフィン系樹脂、ノルボルネン系樹脂、ポリカーボネートなどを例示することができる。
【００２９】
第１レンズアレイプレート２４の一方の面である第１面２４ｃ上には、複数の第１レンズ２４ａが、第１レンズアレイプレート２４の長手方向に沿って一列に配列されている。また、第１レンズアレイプレート２４の第１面２４ｃに対向する第２面２４ｄ上には、複数の第２レンズ２４ｂが、第１レンズアレイプレート２４の長手方向に沿って一列に配列されている。
【００３０】
第２レンズアレイプレート２６の一方の面である第３面２６ｃ上には、複数の第３レンズ２６ａが、第２レンズアレイプレート２６の長手方向に沿って一列に配列されている。また、第３面２６ｃに対向する第４面２６ｄ上には、複数の第４レンズ２６ｂが、第２レンズアレイプレート２６の長手方向に沿って一列に配列されている。
【００３１】
なお、本実施の形態では、第１レンズ２４ａ、第２レンズ２４ｂ、第３レンズ２６ａおよび第４レンズ２６ｂの形状を球面としたが、非球面であってもよい。
【００３２】
第１レンズアレイプレート２４と第２レンズアレイプレート２６は、対応する第１レンズ２４ａ、第２レンズ２４ｂ、第３レンズ２６ａ、第４レンズ２６ｂの組が共軸のレンズ系を構成するように第２面２４ｄと第３面２６ｃとを対向させて積層される。なお、本実施の形態では、第２面２４ｄの第２レンズ２４ｂと第３面２６ｃの第３レンズ２６ａとが当接しているが、第２レンズ２４ｂと第３レンズ２６ａは離間していてもよい。
【００３３】
第１レンズアレイプレート２４の第１面２４ｃ上には、各第１レンズ２４ａの周囲を囲うように第１遮光壁５０が立設されている。そして、この第１遮光壁５０により、各第１レンズ２４ａ上に第１開口部５４が形成されている。第１開口部５４は円柱形状であり、その中心軸が第１レンズ２４ａの光軸と一致するように配置されている。第１遮光壁５０は、第１レンズ２４ａへ迷光が入射するのを遮断し、ゴーストノイズを低減する機能を有する。第１遮光壁５０の高さは、所定の最大視野角までの光線を除去できる高さに設定される。
【００３４】
同じように、第２レンズアレイプレート２６の第４面２６ｄ上にも、各第４レンズ２６ｂの周囲を囲うように第２遮光壁５２が立設されている。そして、この第２遮光壁５２により、各第４レンズ２６ｂ上に第２開口部５６が形成されている。第２開口部５６は円柱形状であり、その中心軸が第４レンズ２６ｂの光軸と一致するように配置されている。第２遮光壁５２は、第４レンズ２６ｂから出射された迷光を除去し、ゴーストノイズを低減する機能を有する。第２遮光壁５２の高さは、第１遮光壁５０と同一に設定される。
【００３５】
第１遮光壁５０および第２遮光壁５２は、例えば黒色のＡＢＳ樹脂などの光吸収性材料を用いて、射出成形などの方法により形成することができる。また、第１遮光壁５０および第２遮光壁５２は、第１面２４ｃおよび第４面２６ｄ上に黒色樹脂塗料を積層させることにより形成されてもよい。
【００３６】
第１レンズアレイプレート２４と第２レンズアレイプレート２６との間には、遮光部材２７が設けられている。遮光部材２７には、第２レンズ２４ｂおよび第３レンズ２６ａに対応する複数の開口部２７ａが形成されている。各開口部２７ａには、対応する第２レンズ２４ｂおよび第３レンズ２６ａが嵌入されている。この遮光部材２７は、結像に寄与しない迷光を遮断し、ゴーストノイズを低減する機能を有する。遮光部材２７は、光学的透過率が小さいフィルム状の部材に開口部２７ａを設けることにより形成されている。遮光部材２７の望ましい材質としては、黒色のシクロオレフィン系樹脂や、オレフィン系樹脂、ノルボルネン系樹脂などを例示することができる。
【００３７】
ここで、本実施の形態においては、第１レンズアレイプレート２４の第１面２４ｃにおける第１レンズ２４ａの有効領域以外の領域２４ｅ、および第２面２４ｄにおける第２レンズ２４ｂの有効領域以外の領域２４ｆに粗面化処理が施されている。また、第２レンズアレイプレート２６の第３面２６ｃにおける第３レンズ２６ａの有効領域以外の領域２６ｅ、および第４面２６ｄにおける第４レンズ２６ｂの有効領域以外の領域２６ｆに粗面化処理が施されている。ここで、レンズの有効領域とは、レンズとしての機能を有する部分のことである。
【００３８】
また、本実施の形態においては、第１遮光壁５０における第１面２４ｃに面した領域５０ｂに粗面化処理が施されている。第１遮光壁５０の領域５０ｂは、第１レンズアレイプレート２４の第１面２４ｃの領域２４ｅを覆っている。なお、図２においては領域５０ｂと領域２４ｅとの間に隙間があるが、領域５０ｂと領域２４ｅは当接していてもよい。また、第２遮光壁５２における第４面２６ｄに面した領域５２ａにも粗面化処理が施されている。第２遮光壁５２の領域５２ａは、第２レンズアレイプレート２６の第４面２６ｄの領域２６ｆを覆っている。なお、図２においては領域５２ａと領域２６ｆとの間に隙間があるが、領域５２ａと領域２６ｆは当接していてもよい。
【００３９】
さらに、本実施の形態においては、遮光部材２７の第２面２４ｄに面する領域２７ｂ、および遮光部材２７の第３面２６ｃに面する領域２７ｃに粗面化処理が施されている。遮光部材２７の領域２７ｂは、第１レンズアレイプレート２４の第２面２４ｄの領域２４ｆを覆っており、遮光部材２７の領域２７ｃは、第２レンズアレイプレート２６の第３面２６ｃの領域２６ｅを覆っている。なお、図２においては、領域２７ｂと領域２４ｆとの間および領域２７ｃと領域２６ｅとの間に隙間があるが、領域２７ｂと領域２４ｆおよび領域２７ｃと領域２６ｅはそれぞれ当接していてもよい。
【００４０】
上述の領域２４ｅ、２４ｆ、２６ｅ、２６ｆ、５０ｂ、５２ａ、２７ｂおよび２７ｃにおける粗面化処理は、レンズアレイプレート、遮光壁および遮光部材を形成する射出成形の型に粗面化部分を形成することにより施すことができる。あるいは、射出成形後にブラスト処理、エッチング処理を行うことにより粗面化処理を施してもよい。
【００４１】
以上のように構成された正立等倍レンズアレイプレート１１は、第１レンズ２４ａから原稿Ｇまでの距離および第４レンズ２６ｂからラインイメージセンサ２０までの距離が所定の作動距離となるように、図１に示す画像読取装置１００に組み込まれる。
【００４２】
図３は、本発明の実施の形態に係る正立等倍レンズアレイプレート１１の動作を説明するための図である。
【００４３】
ここでは、第１遮光壁５０または第１レンズアレイプレート２４の製造誤差、あるいは第１レンズアレイプレート２４上に第１遮光壁５０を組み付ける際の組み付け誤差が原因で、第１遮光壁５０が設計位置からずれて第１レンズアレイプレート２４上に配置された場合を想定する。
【００４４】
図３に示すように原稿Ｇ上の点７０から出射され、大きな入射角で正立等倍レンズアレイプレート１１入射しようとする光Ｌ１（破線）について考察する。この光Ｌ１は、第１遮光壁５０が設計通り第１レンズアレイプレート２４上に配置されていれば第１遮光壁５０により吸収される。しかしながら、ここでは第１遮光壁５０がずれているために第１遮光壁５０により吸収されず、第１レンズアレイプレート２４の第１面２４ｃの領域２４ｅに入射している。領域２４ｅに入射後、光Ｌ１は、第２レンズ２４ｂ、第３レンズ２６ａ、第４レンズ２６ｂを通ってラインイメージセンサ２０に入射し、フレアノイズが発生してしまう。第１面２４ｃの領域２４ｅに粗面化処理が施されていない場合、領域２４ｅに入射した光Ｌ１のほとんどが、フレアノイズの発生に寄与することになる。
【００４５】
しかしながら、本実施の形態に係る正立等倍レンズアレイプレート１１では、第１面２４ｃの領域２４ｅに粗面化処理が施されているため、図３の矢印７２に示すように、光Ｌ１は領域２４ｅで散乱する。従って、ラインイメージセンサ２０に到達する光Ｌ１の光量が低減されるため、フレアノイズを低減することができる。
【００４６】
第１面２４ｃの領域２４ｅは、第１遮光壁５０が設計通り配置されていれば第１遮光壁５０の領域５０ｂにより覆われているため、光が入射しないはずの領域である。このように、通常であれば光が入射しない領域であっても部材の製造誤差や組み付け誤差等により光が入射する可能性があるが、本実施の形態のように粗面化処理を施すことにより、フレアノイズを低減できる。
【００４７】
ここでは第１面２４ｃの領域２４ｅに入射する光の散乱を説明したが、その他の粗面化処理が施された領域においても入射する光は同様に散乱するため、フレアノイズを低減することができる。なお、本実施の形態に係る正立等倍レンズアレイプレート１１では、領域２４ｅ、２４ｆ、２６ｅ、２６ｆ、５０ｂ、５２ａ、２７ｂおよび２７ｃの全てに対して粗面化処理を施したが、これらの領域のうち少なくとも１つの領域に粗面化処理が施されていれば、フレアノイズの低減に効果がある。
【００４８】
上述の複数の領域のうち、第１遮光壁５０における第１面２４ｃに面した領域５０ｂや、遮光部材２７における第３面２６ｃに面する領域２７ｃは結像光の進行方向に存在していないため、従来であればフレアノイズの原因として考慮されていない領域であった。しかしながら、本発明者は、フレアノイズの低減について鋭意研究を行った結果、このような結像光の進行方向に存在していない領域であっても、多重反射等によりフレアノイズ発生の要因となっていることを見いだした。そして、本発明者は、領域５０ｂや領域２７ｃ等の結像光の進行方向に存在していない領域に粗面化処理を施すことにより、フレアノイズを低減できることを想到するに至った。
【００４９】
上述の領域２４ｅ、２４ｆ、２６ｅ、２６ｆ、５０ｂ、５２ａ、２７ｂおよび２７ｃにおける粗面化処理は、中心線平均表面粗さＲａが０．２μｍ以上２μｍ以下の粗面化処理であることが望ましい。また、これらの領域における粗面化処理は、中心線平均表面粗さＲａが０．６μｍ以上２μｍ以下の粗面化処理であることがさらに望ましい。このような粗面化処理を行うことにより、好適にフレアノイズを低減することができる。これらの中心線平均表面粗さＲａの望ましい範囲は、本発明者が実験で求めたものである。
【００５０】
次に、粗面化処理を施した正立等倍レンズアレイプレートと粗面化処理を施していない正立等倍レンズアレイプレートとを比較した結果を示す。以下に示す例において、粗面化処理の中心線平均表面粗さＲａは０．６μｍである。
【００５１】
本発明者が第１遮光壁５０における第１面２４ｃに面した領域５０ｂおよび第２遮光壁５２における第４面２６ｄに面した領域５２ａに粗面化処理を施したところ、粗面化処理を施していない正立等倍レンズアレイプレートと比較して約３０％フレアノイズを低減できた。また、領域５０ｂのみに粗面化処理を施したところ、約１０％フレアノイズを低減できた。この実験結果を見ると、結像光の進行方向に存在していない領域５０ｂの粗面化処理により、フレアノイズを低減できることが分かる。
【００５２】
また、本発明者が遮光部材２７の第２面２４ｄに面する領域２７ｂおよび遮光部材２７の第３面２６ｃに面する領域２７ｃに粗面化処理を施したところ、粗面化処理を施していない正立等倍レンズアレイプレートと比較して約１０％フレアノイズを低減できた。また、領域２７ｃのみに粗面化処理を施したところ、約２％フレアノイズを低減できた。この実験結果を見ると、結像光の進行方向に存在していない領域２７ｃの粗面化処理により、フレアノイズを低減できることが分かる。
【００５３】
また、本発明者が第２面２４ｄにおける第２レンズ２４ｂの有効領域以外の領域２４ｆおよび第３面２６ｃにおける第３レンズ２６ａの有効領域以外の領域２６ｅに粗面化処理を施したところ、粗面化処理を施していない正立等倍レンズアレイプレートと比較して約３０％フレアノイズを低減できた。
【００５４】
さらに、本発明者が領域５０ｂおよび領域５２ａの粗面化処理に加え、第１開口部５４および第２開口部５６の内壁に粗面化処理を施したところ、粗面化処理を施していない正立等倍レンズアレイプレートと比較して約５０％フレアノイズを低減できた。この実験結果を見ると、第１開口部５４、第２開口部５６の内壁の粗面化を併せて行うことにより、さらにフレアノイズを低減できることが分かる。
【００５５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５６】
上述の実施の形態では、各レンズ面のレンズを主走査方向に一列に配列したが、レンズの配列パターンはこれに限定されず、たとえば、レンズを主走査方向に２列に配列した場合や、正方配列で配置した場合でも、本発明を適用することができる。
【符号の説明】
【００５７】
１０  光走査ユニット、  １１  正立等倍レンズアレイプレート、  ２０  ラインイメージセンサ、  ２４  第１レンズアレイプレート、  ２６  第２レンズアレイプレート、  ２７  遮光部材、  ５０  第１遮光壁、  ５２  第２遮光壁、  １００  画像読取装置。
【図１】
0005466456.tif 000002
【図２】
0005466456.tif 000003
【図３】
0005466456.tif 000004